【手続補正書】
【提出日】平成20年2月29日(2008.2.29)
【手続補正１】
【補正対象書類名】明細書
【補正対象項目名】全文
【補正方法】変更
【補正の内容】
【書類名】明細書
【発明の名称】スライス肉片の移送装置
【特許請求の範囲】
【請求項１】定位置のカッタに対して、肉箱が上動してブロック肉がスライスされる構成であって、外周に針状突起からなる条列を巾方向に適宜の間隔を保って回転方向に多数創設した回転移送体が、前記カッタの前方で、前記肉箱の上動に連動して前記針状突起の先端でスライス肉片を受け取るスライス肉片の移送装置において、切り出されつつあるスライス肉片の、前記針状突起との相対部分のみに接当して、該スライス肉片を表面から前記針状突起に向けて押付ける押付具を、該押付具のスライス肉片接触面と前記針状突起の先端との間隙がスライス肉片の厚み以下となるよう取着したことを特徴とするスライス肉片の移送装置。
【請求項２】前記押付具を、多数の細杆で構成したことを特徴とする請求項１に記載のスライス肉片の移送装置。
【請求項３】外周に針状突起からなる条列を、巾方向に適宜の間隔を保って回転方向に多数創設した回転移送体でもって移送され、所定位置で停止したスライス肉片を裏面側から剥ぎとって該スライス肉片のほぼ中心部を、端面で支承して、前後に跨らせて二つ折りにしながら、反転移送する移送具を備えたスライス肉片の移送装置において、スライス肉片が剥ぎとられるまでに、スライス肉片を表面から前記針状突起に向けて押付ける押付具を設けたことを特徴とするスライス肉片の移送装置。
【０００１】
【発明の詳細な説明】
【発明の属する技術分野】本発明は、ブロック状の牛や、豚などの部分肉などをスライサで切削して得られるスライス肉片の移送装置に関する。
【０００２】
【従来の技術】スライサから切り出されたスライス肉片を形状を損わないように受け取り移送する技術の例が特公昭５１−３３６２１号の公報に開示されている。即ち、刃物の側面に立設された多数の針を有するすだれ状のコンベアに沿わせて多段の切り込みを具え、切り出されるスライス肉片を針に押付け刺し通すように誘導する部材が設けられている。提示されている図面で明らかなようにこの部材は、コンベヤの針を避けて多段の切り込みを形成した板状であり、スライス肉片への接触部の面積が大きくかつ、隣り合う針間に位置するため抵抗が大きく、また、針の対応位置には誘導部材が存在しないため柔らかい生肉の場合には、針先から逃げるので針による移送力が弱められ結果として誘導部で詰まりを起こす問題があった。
【０００３】また、本出願人は、特願２０００−４０４８２０号で外周に多数の針状突起を具備する回転移送体で移送され、所定位置で停止したスライス肉片を裏面側からほぼ中心部を端面で支承して、前後に跨らせて二つ折りにしながら反転移送する移送具を具えたスライス肉片の移送装置を提案したが、脂身が多くやや剛性の高いスライス肉の場合に回転移送体の針状突起への沿い付けが悪く移送具で剥ぎ取るとき、スライス肉片の後半部分は適当な針状突起への絡み着きが必要であるにも拘わらず、簡単に剥がれてしまいスライス肉片の折れ曲がりが不充分となる問題が生じた。
【０００４】
【発明が解決しようとする課題】本発明においては、前記の問題点を解決することで、ブロック肉の硬軟に対する適応範囲の広いスライス肉片の移送装置を提供することを目的としている。
【０００５】
【課題を解決するための手段】上記の目的を達成するため、本発明では次のような技術手段を講じた。すなわち、請求項１の発明にかかるスライス肉片の移送装置は、定位置のカッタに対して、肉箱が上動してブロック肉がスライスされる構成であって、外周に針状突起からなる条列を巾方向に適宜の間隔を保って回転方向に多数創設した回転移送体が、前記カッタの前方で、前記肉箱の上動に連動して前記針状突起の先端でスライス肉片を受け取るスライス肉片の移送装置において、切り出されつつあるスライス肉片の、前記針状突起との相対部分のみに接当して、該スライス肉片を表面から前記針状突起に向けて押付ける押付具を、該押付具のスライス肉片接触面と前記針状突起の先端との間隙がスライス肉片の厚み以下となるよう取着したことを特徴としている。
【０００６】請求項２の発明にかかるスライス肉片の移送装置は、前記押付具を、多数の細杆で構成したことを特徴としている。
【０００７】請求項３の発明にかかるスライス肉片の移送装置は、外周に針状突起からなる条列を、巾方向に適宜の間隔を保って回転方向に多数創設した回転移送体でもって移送され、所定位置で停止したスライス肉片を裏面側から剥ぎとって該スライス肉片のほぼ中心部を、端面で支承して、前後に跨らせて二つ折りにしながら、反転移送する移送具を備えたスライス肉片の移送装置において、スライス肉片が剥ぎとられるまでに、スライス肉片を表面から前記針状突起に向けて押付ける押付具を設けたことを特徴としている。
【０００８】
【発明の実施の形態】本発明の実施の形態について図面を参照しながら説明する。図１において、ほぼ水平に置かれたブロック肉Ｍを保持する肉箱１の全体については図示を省略しているが、下部に送りコンベヤ２を、上部には保持具３を具備し、かつ、矢印Ａ、Ｂで示す上下方向（若干の斜め方向も含む）に往復移動するよう適宜構成する。
【０００９】肉箱１の前方には、カッタ４を定置する。カッタ４は円盤刃や鉈刃などでも良いが本実施例においては、帯状刃４ａを用いる。この帯状刃４ａは肉箱１の前端部全巾にわたって横架された案内板５の下端面に穿設された案内溝に刃先を下にしてガイドされ、図示しないが機体左右に設けられたドラムに巻きかけられ高速で回転している。
【００１０】この案内板５の下方には、肉箱１の前端面部全てをカバーできる広さを有し、かつ、上端部を帯状刃４ａ刃先に対向させ、適宜刃先との間隔を開けてスライス肉片の切り出し口６ａを構成する規制板６を設ける。この規制板６は、肉箱１及び帯状刃４ａの刃先に対して、図示しない装置で、遠近移動調節されてブロック肉Ｍのスライス厚み寸法を規制する役目を有する。また、後述の回転移送体７を、スライス肉片ｍの切り出し部へ近づけた際に支障のないように、回転移送体の外周に多数創設された針状突起８からなる条列に対応する位置に多数の切欠溝６ｂが形成されている。
【００１１】これら案内板５と規制板６との前近位置には、外周に多数の針状突起８を具備する回転移送体７を配設する。この回転移送体７は、外周に多数の針状突起８を植設した全円周の約１／４程度の大きさの弧胴で構成される。すなわち、扇形状の両側板７ａの外周面に沿って張設された断面が円弧状の板材７ｂに、針状突起８を巾方向に等しい間隔を保って回転方向に条植して針状突起８からなる条列を多数創設する。この多数の針状突起８の先端上に、カッタ４から切り出されるスライス肉片ｍを支持し移送する。側板７ａの円弧中心部には、回転軸９を貫通して側板７ａを固着する。この回転軸９の一端は、機体（図示なし）に取り付けられたサーボモータ１０の出力軸に固着され、詳細は省略するが回転移送体７を矢印の方向へ回転させたり、予め設定された位置で停止させたり、または、停止位置から仮想線で示した待機位置まで後退揺動させたりする制御が可能なように構成される。なお、回転移送体７は板材を歯車状に形成して歯先端部分を尖らせたものを、適宜間隔を保って多数重ね合わせて構成しても良い。更には、チェーンなどを用いて無端帯状に構成することもできる。
【００１２】案内板５の前部でスライス肉片ｍの切り出し口６ａ近くに、切り出されつつあるスライス肉片ｍの、回転移送体７の針状突起８との相対部分に接当して、スライス肉片ｍを表面から針受突起８に向けて押し付ける押付具１１を取着する。本実施例では、図２に示すようにほぼ、スライス肉片ｍの切り出し口６ａ全巾に亙って多数の細杆１１ａを櫛状に植設した丸棒１１ｂを案内板５に横置固着して構成する。多数の細杆１１ａは、回転移送体７の外周に多数創設されている針状突起８からなる条列の直上部に位置するよう配設するが、この場合、すべての条列に相対させるか又は、適宜間引いて設けるか自由に選択できる。図４では２条列毎に細杆１１ａを相対させている。また、細杆１１ａと、針状突起８とで形成される間隙を、スライス肉片ｍが通過するが、その間隙寸法はスライス肉の厚み以下とし適宜設定する。細杆１１ａは図３に示す通り先端部を滑らかな形状にカールしてスライス肉片ｍをスムーズに誘導できるようにすることが望ましい。
【００１３】押付具１１の細杆１１ａは、スライス肉片ｍとの接触面はできるだけ少なくて、しかも滑らかな形状が望ましく、簡単に加工できる点からも、外径寸法が６ｍｍ以下の線材で構成することが最適であるが、線材に代えて薄い板状としても良い。更には、構造が複雑になるが、回転移送体７に並列して軸装された多数の薄板状回転体を、針状突起８の条列に相対するように配設し、これを回転移送体７と同期回転させスライス肉片ｍを挟み込むように押付ける構成とすることもできる。
【００１４】回転移送体７の前方には、スライス肉片ｍを受け取り、機外に送り出すスライス肉片送出装置１２が配設される。また、このスライス肉片送出装置１２と回転移送体７との間には、回転移送体７で移送され、所定位置で停止したスライス肉片ｍを裏面側から剥ぎ取り、二つに折り畳まれた状態、又は、広げられた状態とのいずれかで反転移送する移送具１３を設ける。
【００１５】この移送具１３は、回転移送体７の横幅と同じ程度の長さを有する横棒１３ａに多数の細杆１３ｂを櫛状に植設して構成し、この細杆１３ｂの開放端側が、回転移送体７の外周に、幅方向には等しい間隔を保って、回転方向に多数創設された針状突起８からなる条列間に形成された空間内に没入した待機状態（図１の実線表示の状態）から、スライス肉片送出装置１２のスライス肉片ｍの受取位置（図１の仮想線表示の状態）までの間を揺動（図１に示す矢印Ｅ方向）させることができるようモータ１４を、横棒１３ａの延長端部に直装する。さらに、このモータ１４は、機体（図示なし）に装着されたガイド付きエアーシリンダ１５のロッド先端部に搭載されていて、移送具１３をモータ１４と共にスライス肉片送出装置１２のスライス肉片ｍの受取位置から図１に示す仮想線表示Ｆ位置まで退却させることができる。
【００１６】スライス肉片送出装置１２は、平ベルト１６をプーリ１７間に掛け渡して適宜駆動して、上面にスライス肉片ｍを移送具１３から受け取り、矢印の方向に送り出す。図１と図２はスライス肉片ｍが二つに折畳まれた状態で移送される例を示すが、この場合には、スライス肉片ｍが、受取位置で平ベルト１６上に載置されたとき、スライス肉ｍの折り畳み線付近を、上方から加圧する加圧装置１８を必要とする。その構成は、機体（図示せず）に装着したガイド付エアーシリンダ１９のロッド先端部に取り付けられ、スライス肉片ｍの幅一杯にわたる長さを有した加圧棒１８ａが、スライス肉片ｍを加圧する作動状態（仮想線で表示）と上方位置での待機状態とに出退自在とされる。
【００１７】尚、スライス肉片送出装置１２のスライス肉片ｍの受取位置は、平ベルト１６の裏側に可動プーリ１７ａを接当させておいて、スライス肉片ｍの受取時に、移送具１３との相対間隔をスライス肉片ｍの積み重ね枚数に応じて図１に示すように調節できるよう（調節装置の図示は省略）に構成することが望ましい。
【００１８】前述のように構成されたスライス肉片の移送装置の動作について述べる。肉箱１に載せられたブロック肉Ｍは、肉箱１の下部に設けられた送りコンベヤ２と同じく上部に設けられた保持具３によって保持され図１に示す矢印Ａ、Ｂ方向（上下方向）に往復移動するが、肉箱１が上動するとき、肉箱１の前方に定置され高速回転している帯状刃４ａによってブロック肉ｍの前端部が予め設定された厚みにスライスされ図３に示すように切り出し口６ａから排出されて行くが、この際、回転移送体７を図１の仮想線で示す位置から、肉箱１の上動Ａに同期して同じ方向（図３における矢印Ａ１）に回転するようサーボモータ１０を制御して、切り出されてくるスライス肉片ｍを回転移送体７の外周に植設されている多数の針状突起８の先端部で受け取り、切り出し口６ａ近くに取着されている押付具１１との間隙を通過させる。
【００１９】押付具１１は、前述のように多数の細杆１１ａを櫛状に構成したもので図４に示すように細杆１１ａそれぞれが、回転移送体７の外周に多数創設されている針状突起８からなる条列に相対し、かつ、針状突起８の先端との間隙が、スライス肉片ｍの厚みより小さく設定されているので、切り出されつつあるスライス肉片ｍが、細杆１１ａに接して通過する際、スライス肉片ｍの針状突起８との相対部分が、表面から針状突起８に向け細杆１１ａによって、スライス肉片ｍの厚みより小さく設定された分だけ押付けられる。したがって、針状突起８で確実にスライス肉片ｍを保持することができるので、帯状刃４ａにスライス肉片ｍが大きく引かれる切り離し時において、スライス肉片ｍの姿勢が乱れることを防止できる。しかも細杆１１ａに接している針状突起８の相対部分以外のスライス肉片ｍは、表面からなんら抵抗を受けないので、柔らかい生肉においても、停滞することなく確実に移送することができる。
【００２０】所定位置で停止したスライス肉片ｍは、回転移送体７の外周に多数創設されている針状突起８からなる条列間に形成された空間内に没入し待機状態にある移送具１３が揺動（図１の矢印Ｅ）することによって裏側から剥ぎ取られ、二つに折り畳まれた状態、又は、広げられた状態とのいずれかでスライス肉片送出装置１２の受け渡し位置まで反転移送される。
【００２１】スライス肉片ｍを二つに折畳まれた状態で反転移送する場合には、スライス肉片ｍの切断方向中心位置が、移送具１３の開放側先端部付近に合致して停止するよう回転移送体７を駆動するサーボモータ１０を制御する。図１に示す移送具１３が揺動Ｅするとき細杆１３ｂが接当するスライス肉片ｍの前半分は、細杆１３ｂによって剥ぎ取られていくが、回転移送体７の針状突起８上に残った後半部分は、押付具１１で押し付けられた効果で、針状突起８に確実に沿い付いており、移送具１３の動きにやや遅れて引き延ばされながら漸次剥がされて前半分に折り重なるように二つ折りされ、反転されてスライス肉片送出装置１２の平ベルト１６上に載置される。
【００２２】ついで、加圧棒１８ａが進出してきて（図１の仮想線表示状態）スライス肉片ｍの折畳み線付近を上方から加圧して、スライス肉片ｍの折れ具合を調整する。続いて移送具１３は、ガイド付きエアーシリンダ１５によって図１の仮想線表示Ｆ位置まで退却するが、加圧棒１８ａがスライス肉片ｍを平ベルト１６の表面に加圧しているので、スライス肉片ｍが移送具１３に付着していても移動させられる心配がない。ついで加圧棒１８ａが上方の退避位置まで戻るとスライス肉片送出装置１２の平ベルト１６が所定の距離だけ移動してスライス肉片ｍを送り出す。その後に移送具１３は回転移送体７の外周に多数創設された針状突起８からなる条列間に形成された空間内に没入した待機状態に戻る。
【００２３】スライス肉片ｍを広げられた状態で反転移送する場合には、回転移送体７で移送されるスライス肉片ｍの停止位置を、前記のスライス肉片ｍを二つに折畳む状態より前方にずらせる。即ち、図５に示すようにスライス肉片ｍが待機中の移送具１３の細杆１３ｂに乗りきる位置まで回転移送体７が進行するようにサーボモータ１０で制御する。ついで移送具１３を揺動Ｅさせるがこの際、移送具１３の細杆１３ｂが、スライス肉片ｍを裏側全面に接当して剥ぎ取り、広げられた状態で反転させて、スライス肉片送出装置１２の平ベルト１６まで移送する。この場合においては、加圧棒１５ａは作動させないで待機状態のままとしておく。
【００２４】以上述べた各部の一連の動作は、肉箱１の往復移動を基準として、予め設定されたプログラムに基づき逐次、連動して繰り返されるよう制御されるが詳細については省略する。
【発明の効果】以上の説明で明らかなように、本発明にかかるスライス肉片の移送装置によれば、柔らかい生肉の場合においても乱れなく確実に移送できる。また、脂身が多くやや剛性の高いスライス肉片であっても、二つに折り畳むことができる。
【図面の簡単な説明】
【００２３】
【図１】要部の構成とスライス肉片を二つに折畳まれた状態で反転移送する動作を示す側面図。
【図２】一部を省略した図１の斜視図。
【図３】図１の要部を拡大した側面図。
【図４】図３のＤから見た一部を省略、破断した平面図。
【図５】スライス肉片を広げられた状態で反転移送する動作を示す側面図。
【符号の説明】
１    肉箱
４    カッタ
５    案内板
７    回転移送体
８    針状突起
１１  押付具
１２  スライス肉片送出装置
１３  移送具
１８  加圧装置